(57)【要約】【課題】寿命が摩耗により短くなってしまうことを、容易かつ安価に防止することができるチェンを提供する。【解決手段】交互に連結されるピンリンク３８とローラリンク８を有するチェン３４であって、ピンリンク３８におけるピンリンクプレート４０の外側表面の一部に保護ブロック部材４４を装着するようにした。【効果】寿命が摩耗により短くなってしまうことを、容易かつ安価に防止することができる。【選択図】図３
2009040529.tif 000002
【特許請求の範囲】
【請求項１】
交互に連結されるピンリンクとローラリンクを有するチェンであって、
前記ピンリンクにおけるピンリンクプレートの外側表面の一部に保護ブロック部材を装着したことを特徴とするチェン。
【請求項２】
前記保護ブロック部材を、前記ピンリンクプレートの進行方向の前側のみに装着したことを特徴とする請求項１に記載のチェン。
【請求項３】
前記保護ブロック部材が、前記ピンリンクプレートの進行方向の前端部よりも前方に、及び／又は前記ピンリンクプレートの進行方向と直角方向に張り出して形成される張り出し部を有することを特徴とする請求項１又は２に記載のチェン。
【請求項４】
前記ピンリンクとローラリンクが長さ方向に一体化されて、ピンリンク側の端部とローラリンク側の端部が連結されるオフセットリンクに適用されることを特徴とする請求項１から３のいずれかに記載のチェン。
【発明の詳細な説明】
【技術分野】
【０００１】
本発明は、鉱物等の硬い搬送対象物を搬送する搬送装置に用いられるチェンに関するものである。
【背景技術】
【０００２】
図９及び図１０は、従来の搬送装置２の一部を示す側面図、及び平面図である。この従来の搬送装置２は、水平方向に伸びて互いに平行に並んで配置される２本のチェン４を備えている。この２本のチェン４は、無端チェンであり、かつ、回転軸が略水平であって略水平方向に離れて配置される不図示の複数のスプロケット間を、略水平方向に循環駆動するものである。図９及び図１０のチェン４は、少なくとも図示されている範囲内で、複数のスプロケット間の循環経路におけるスプロケットの下側を略水平方向に走行している状態を示すものである。
【０００３】
チェン４は、図１１に示すように、交互に連結される複数のピンリンク６と複数のローラリンク８とを備えて構成されている。チェン４のピンリンク６のそれぞれは、図１１及び図１２に示すように、一対のピンリンクプレート１０、及び２本のピン１２を備えている。
【０００４】
ピンリンク６における一対のピンリンクプレート１０のそれぞれには、図１１に示すように、２つのピン用孔１４が、チェン４の長さ方向に一定間隔だけ離れて形成されている。ピンリンク６の２本のピン１２のそれぞれは、図１２に示すように、その長さ中間部分において、後述するローラリンク８のブシュ２２を軸支しており、このブシュ２２の両端からその長さ方向の両外側に突出したピン１２の長さ部分が、互いに対向する一対のピンリンクプレート１０のそれぞれのピン用孔１４に嵌合している。
【０００５】
また、ピンリンク６のピン１２は、その長さ方向の両端部１２ａ，１２ｂのそれぞれが、一対のピンリンクプレート１０のそれぞれの外側に突出している。このピン１２の一方の端部１２ａは、他の長さ部分よりも若干太く形成されていることにより抜けないようになっている。また、ピン１２の他方の端部１２ｂには、その軸線と交差する方向に貫通する抜止めピン１６が打ち込まれている。
【０００６】
また、チェン４のローラリンク８のそれぞれは、一対のローラリンクプレート２０、２本のブシュ２２、及び２個のローラ２４を備えている。ローラリンク８のローラリンクプレート２０には、ピンリンク６のピンリンクプレート１０のピン用孔１４に対応するブシュ用孔２６が形成されている。
【０００７】
ローラリンク８のブシュ２２は、その長さ中間部分において、ローラ２４を軸支しており、このローラ２４の両端からその長さ方向の両外側に突出したブシュ２２の長さ部分が、互いに対向する一対のローラリンクプレート２０のそれぞれのブシュ用孔２６に嵌合している。このブシュ２２は、その長さ方向の両端部のそれぞれが、一対のローラリンクプレート２０のそれぞれの外側に突出している。
【０００８】
また、チェン４のローラリンク８のローラリンクプレート２０と、ピンリンク６のピンリンクプレート１０との間には、計４個のオイルシール２８のそれぞれが配置されている。
【０００９】
また、搬送装置２は、図９及び図１０に示すように、チェン４により搬送される複数のバケット３０を備えている。この複数のバケット３０のそれぞれは、２本のチェン４が互いに対向する方向に幅を有しており、この幅方向の両端部のそれぞれが、２本のチェン４のそれぞれに、アタッチメント３２等を介して連結されている。バケット３０同士は、チェン４の長さ方向に互いに一定の間隔を空けて配置されている。また、バケット３０は、その進行方向（矢印Ｓ）の前側が開放されていることにより、進行方向の前側から搬送対象物を内部に取り込むようになっている。
【００１０】
ここで、この搬送装置２は、上述したように、その２本のチェン４のそれぞれが、循環駆動されるようになっている。このため、搬送装置２のチェン４のそれぞれ及びバケット３０は、図示しないがその全体の搬送経路の往路が下側に、復路が上側に配置されるようになっており、復路と往路では、互いの上下関係が逆転するようになっている。
【００１１】
このような従来の搬送装置２は、図示しないが、破砕した鉄鉱石もしくは銅鉱石等の鉱石、又は他の破砕した鉱物等の搬送対象物を、その集積所から他の場所や装置等まで搬送するのに用いられている。搬送装置２のバケット３０は、搬送対象物の集積所内をチェン４によりほぼ水平に搬送されるようになっており、その際に、集積された搬送対象物の上層部分をほぼ水平にすくい取って、搬送対象物を内部に取り込むようになっている。
【発明の開示】
【発明が解決しようとする課題】
【００１２】
しかしながら、上記従来の搬送装置２のチェン４においては、このチェン４が鉱石や鉱物等の搬送対象物と接触して摩耗してしまうため、その寿命が短くなってしまうという問題があった。
【００１３】
つまり、搬送装置２は、そのチェン４を駆動してバケット３０により搬送対象物をすくい取りながら、これらチェン４及びバケット３０の進行方向と略直角の方向に水平移動していくようになっている。このため、搬送装置２のチェン４は、水平移動する搬送装置２全体の進行方向上にある搬送対象物に接触してしまうので、図１３及び図１４に示すように、ピンリンクプレート１０の下部等が徐々に摩り減って変形してしまうという問題があった。
【００１４】
また、このようなチェン４の摩耗対策として、このチェン４の表面に溶解した材料を吹き付けて皮膜を形成する溶射などの表面処理を施したり、チェン４自体を硬い材質で製作したりした場合には、チェン４の製作費用が高額になるため、現実的ではないという問題があった。
【００１５】
そこで本発明は、上記問題点に鑑みて、寿命が摩耗により短くなってしまうことを、容易かつ安価に防止することができるチェンを提供することを課題とするものである。
【課題を解決するための手段】
【００１６】
上記課題を解決するために本発明は、
交互に連結されるピンリンクとローラリンクを有するチェンであって、
前記ピンリンクにおけるピンリンクプレートの外側表面の一部に保護ブロック部材を装着したことを特徴とするものである。
【００１７】
また、本発明によるチェンにおいて、前記保護ブロック部材を、前記ピンリンクプレートの進行方向の前側のみに装着したことを特徴とするものである。
【００１８】
また、本発明によるチェンにおいて、前記保護ブロック部材が、前記ピンリンクプレートの進行方向の前端部よりも前方に、及び／又は前記ピンリンクプレートの進行方向と直角方向に張り出して形成される張り出し部を有することを特徴とするものである。
【００１９】
また、本発明によるチェンにおいて、前記ピンリンクとローラリンクが長さ方向に一体化されて、ピンリンク側の端部とローラリンク側の端部が連結されるオフセットリンクに適用されることを特徴とするものである。
【発明の効果】
【００２０】
このような本発明のチェンによれば、
交互に連結されるピンリンクとローラリンクを有するチェンであって、
前記ピンリンクにおけるピンリンクプレートの外側表面の一部に保護ブロック部材を装着したことにより、
当該チェンの寿命が摩耗により短くなってしまうことを、容易かつ安価に防止することができる。
【００２１】
また、本発明のチェンによれば、前記保護ブロック部材を、前記ピンリンクプレートの進行方向の前側のみに装着したことにより、
当該チェンの寿命が摩耗により短くなってしまうことを、さらに容易かつ安価に防止することができる。
【００２２】
また、本発明のチェンによれば、前記保護ブロック部材が、前記ピンリンクプレートの進行方向の前端部よりも前方に、及び／又は前記ピンリンクプレートの進行方向と直角方向に張り出して形成される張り出し部を有することにより、
当該チェンの寿命が摩耗により短くなってしまうことを、さらに容易かつ安価に防止することができる。
【００２３】
また、本発明のチェンによれば、前記ピンリンクとローラリンクが長さ方向に一体化されて、ピンリンク側の端部とローラリンク側の端部が連結されるオフセットリンクに適用されることにより、
オフセットリンクを用いたチェンの寿命が摩耗により短くなってしまうことを容易かつ安価に防止することができる。
【発明を実施するための最良の形態】
【００２４】
以下、本発明に係るチェンを実施するための最良の形態について、図面に基づいて具体的に説明する。
図１から図４は、本発明の第１の実施の形態に係るチェン３４について説明するために参照する図である。従来と同様の部分には同じ符号を用いて説明し、従来と同様の構成についての重複する説明は省略するものとする。図１及び図２のチェン３４は、少なくとも図示されている範囲内で、複数のスプロケット間の循環経路におけるスプロケットの下側を略水平方向に走行している状態を示すものである。
【００２５】
図１及び図２に示すように、本実施の形態に係るチェン３４のそれぞれは、前記従来のチェン４におけるピンリンク６の代わりに、構成がピンリンク６と全く異なるピンリンク３８を備えている。このピンリンク３８は、図１０に示す前記従来のチェン４におけるピンリンク６のそれぞれにおける一対のピンリンクプレート１０のうちの、バケット３０とは反対側にあったピンリンクプレート１０が、図２に示すように、ピンリンクプレート４０に置き換えられている。
【００２６】
このピンリンクプレート４０は、図３及び図４に示すように、後述する六角ボルト４８とネジ締結するための雌ネジ４２を有している点において、前記従来のチェン４におけるピンリンク６のピンリンクプレート１０と異なっている。
【００２７】
そして、チェン３４は、図１及び図２に示すように、それぞれのピンリンク３８のピンリンクプレート４０に装着される複数の保護ブロック部材４４を備えている。このチェン３４の保護ブロック部材４４は、図３及び図４に示すように、嵌合孔４６を有している。保護ブロック部材４４は、この嵌合孔４６が、ピンリンク６の２本のピン１２のうちの、チェン３４の進行方向の前側のピン１２Ａにおける、その長さ方向（図３中、紙面に垂直の方向）の先端部１２ａに嵌合している。
【００２８】
また、保護ブロック部材４４は、ピンリンク３８の２本のピン１２と１２Ａ間の中間位置において、六角ボルト４８により、ピンリンクプレート４０にネジ止めされている。すなわち、六角ボルト４８が、図３及び図４に示すように、ピンリンクプレート４０の雌ネジ４２にネジ締結している。
【００２９】
また、保護ブロック部材４４は、図３に示すように、この保護ブロック部材４４が装着されたピンリンクプレート４０の進行方向の前側の端部４０ａよりも、前方に張り出すように形成されている。また、保護ブロック部材４４は、少なくとも、この保護ブロック部材４４が装着されたピンリンクプレート４０における、その進行方向の前側の端部４０ａと前側のピン１２Ａとの間の長さ範囲において、ピンリンクプレート４０の図中下側の縁よりも下側（バケット３０側）に張り出すように形成されている。
【００３０】
また、保護ブロック部材４４は、図３及び図４に示すように、ピンリンクプレート４０の前側の端部４０ａよりも前方に張り出して形成されている部分（張り出し部に相当）、及びピンリンクプレート４０の図３中下側の縁よりも下側に張り出して形成されている部分（張り出し部に相当）が、ピンリンクプレート４０の厚さ方向であってローラリンクプレート２０側の方向に厚く形成され、ピンリンクプレート４０及びオイルシール２８を覆うようになっている。
【００３１】
また、保護ブロック部材４４は、図４に示すように、その前端部側の一定長さの範囲内において、前側から後側に向かって、ローラリンクプレート２０とは反対側の方向に、その厚さが厚くなっていくように形成されている。
【００３２】
また、保護ブロック部材４４は、この保護ブロック部材４４が装着されたピンリンクプレート４０におけるローラリンクプレート２０とは反対の外側（図４中、上側）の面４０ｂを基準とした場合の、この面４０ｂから離れる方向の最大厚さ寸法（図４中、寸法ｔ１）が、ピンリンク３８のピン１２Ａの先端部１２ａの突出長さよりも、長くなるように形成されている。
【００３３】
このような本実施の形態に係るチェン３４によれば、複数のピンリンクプレート４０のそれぞれに保護ブロック部材４４を備えているので、チェン３４が循環駆動することにより、保護ブロック部材４４が装着されたピンリンク３８のピンリンクプレート４０、及びその後続の他のピンリンク３８のピンリンクプレート４０等に接触するおそれがある鉱石等の搬送対象物が、保護ブロック部材４４により水平方向かつバケット３０（図２参照）とは反対側の方向、又は下方向に押し退けられていくようになる。
【００３４】
これにより、チェン３４は、そのピンリンク３８のピンリンクプレート４０等の進行方向前方側に、搬送対象物が直接接触するのを防止することができるので、ピンリンクプレート４０が摩耗したりオイルシール２８が破損したりするのを防止して、その寿命が短くなってしまうことを容易かつ安価に防止することができる。
【００３５】
次に、図５及び図６は、本発明の第２の実施の形態に係るチェン５０について説明するために参照する図である。前記第１の実施の形態に係るチェン３４と同様の部分には同じ符号を用いて説明し、同様の構成についての重複する説明は省略するものとする。
【００３６】
本実施の形態に係るチェン５０は、図５及び図６に示すように、前記第１の実施の形態に係るチェン３４のピンリンク３８の代わりにピンリンク５２を備えている。このピンリンク５２は、前記第１の実施の形態に係るチェン３４のピンリンク３８のピンリンクプレート４０の代わりに、ピンリンクプレート５４を備えている。
【００３７】
このピンリンクプレート５４は、その進行方向における前方側のピン１２Ａよりも前方の前端部５４ａに、後述する２本の六角穴付きボルト６０とネジ締結するための２つの雌ネジ５６を有している。また、ピンリンクプレート５４は、このような雌ネジ５６を形成することができるようにするために、バケット３０側（図６中下側）のピンリンクプレート１０と比べて、その長さ方向の前端部５４ａが前方に伸びて形成されている。ピンリンクプレート５４は、このような点において、前記第１の実施の形態に係るチェン３４のピンリンク３８のピンリンクプレート４０と異なっている。
【００３８】
そして、本実施の形態に係るチェン５０は、前記第１の実施の形態に係るチェン３４の保護ブロック部材４４の代わりに、保護ブロック部材５８を備えている。この保護ブロック部材５８は、ピンリンクプレート５４の前端部５４ａに、図５に示すように、２本の六角穴付きボルト６０によりネジ止めされている。すなわち、六角穴付きボルト６０のそれぞれが、ピンリンクプレート５４の雌ネジ５６にネジ締結している。
【００３９】
また、保護ブロック部材５８は、図５に示すように、この保護ブロック部材５８が装着されたピンリンクプレート５４の進行方向の前側の前端部５４ａよりも、前方に張り出すように形成されている。また、保護ブロック部材５８は、少なくとも、この保護ブロック部材５８が装着されたピンリンクプレート５４における、その進行方向の前側の端部５４ａと前側のピン１２Ａとの間の長さ範囲において、ピンリンクプレート５４の図中下側の縁よりも下側（バケット３０側）に張り出すように形成されている。
【００４０】
また、保護ブロック部材５８は、図５及び図６に示すように、ピンリンクプレート５４の前側の端部５４ａよりも前方に張り出して形成されている部分（張り出し部に相当）、及びピンリンクプレート５４の図５中下側の縁よりも下側に張り出して形成されている部分（張り出し部に相当）が、ピンリンクプレート５４の厚さ方向であってローラリンクプレート２０側の方向に厚く形成され、ピンリンクプレート５４及びオイルシール２８を覆うようになっている。
【００４１】
また、保護ブロック部材５８は、図６に示すように、その前端部側の一定長さの範囲内において、前側から後側に向かって、ローラリンクプレート２０とは反対側の方向に、その厚さが厚くなっていくように形成されている。
【００４２】
また、保護ブロック部材５８は、この保護ブロック部材５８が装着されたピンリンクプレート５４におけるローラリンクプレート２０とは反対の外側（図６中、上側）の面５４ｂを基準とした場合の、この面５４ｂから離れる方向の最大厚さ寸法（図６中、寸法ｔ２）が、ピンリンク５２のピン１２Ａの先端部１２ａの突出長さよりも、長くなるように形成されている。
【００４３】
このような本実施の形態に係るチェン５０によれば、前記第１の実施の形態と同様に、複数のピンリンクプレート５４のそれぞれに保護ブロック部材５８を備えているので、チェン５０が循環駆動することにより、保護ブロック部材５８が装着されたピンリンク５２のピンリンクプレート５４、及びその後続の他のピンリンク５２のピンリンクプレート５４等に接触するおそれがある鉱石等の搬送対象物が、保護ブロック部材５８により水平方向かつバケット３０（図２参照）とは反対側の方向、又は下方向に押し退けられていくようになる。
【００４４】
これにより、チェン５０は、そのピンリンク５２のピンリンクプレート５４等の進行方向前方側に、搬送対象物が直接接触するのを防止することができるので、ピンリンクプレート５４が摩耗したりオイルシール２８が破損したりするのを防止して、その寿命が短くなってしまうことを、容易かつ安価に防止することができる。
【００４５】
また、本実施の形態に係るチェン５０によれば、保護ブロック部材５８を２本の六角穴付きボルト６０によりネジ止めするための雌ネジ５６が、ピンリンクプレート５４におけるピン１２Ａよりも前方の前端部５４ａに形成されているので、チェン５０の破断強度が低減してしまうのを防止することができる。
【００４６】
つまり、チェン５０の長さ方向に伝達される駆動荷重は、個々のピンリンクプレート５４においては、図５に示す２本のピン１２、１２Ａ間の区間で伝達されるが、本実施の形態では前記第１の実施の形態のように雌ネジ４２が２本のピン１２、１２Ａ間にはなく、雌ネジ５６は、このような区間の外側に形成されているため、チェン５０の破断強度に影響を及ぼさないようになっている。
【００４７】
次に、図７及び図８は、本発明の第３の実施の形態に係るチェン７０について説明するために参照する図である。前記第１の実施の形態に係るチェン３４と同様の部分には同じ符号を用いて説明し、同様の構成についての重複する説明は省略するものとする。
【００４８】
本実施の形態に係るチェン７０は、図７及び図８に示すように、前記第１の実施の形態に係るチェン３４のピンリンク３８の代わりにピンリンク７２を備えている。このピンリンク７２は、前記第１の実施の形態に係るチェン３４のピンリンク３８のピンリンクプレート４０の代わりに、ピンリンクプレート７４を備えている。
【００４９】
このピンリンクプレート７４は、図７に示すように、その下側の縁が前端部から後端部まで一直線状に形成されている。また、このピンリンクプレート７４には、その長さ方向の中間位置であって、かつ下側の縁の近傍の位置に、図８に示すように、後述する２本の六角穴付きボルト８０とネジ締結するための２つの雌ネジ７６が形成されている。
【００５０】
また、本実施の形態に係るチェン７０は、前記第１の実施の形態に係るチェン３４の保護ブロック部材４４の代わりに、保護ブロック部材７８を備えている。この保護ブロック部材７８は、ピンリンクプレート７４におけるその長さ方向の中間位置であって、図７に示すように、下側の縁の近傍の位置に、２本の六角穴付きボルト８０によりネジ止めされている。すなわち、六角穴付きボルト８０のそれぞれが、ピンリンクプレート７４の雌ネジ７６にネジ締結している。
【００５１】
また、保護ブロック部材７８は、図７に示すように、ピンリンクプレート７４の下側の縁よりも下方に張り出すように形成されている。そして、保護ブロック部材７８は、このように張り出して形成されている部分（張り出し部分に相当）が、図８に示すように、ピンリンクプレート７４の厚さ方向であってローラリンクプレート２０側の方向に厚く形成されていることにより、ピンリンクプレート７４の下側の面を十分に覆うようになっている。
【００５２】
また、保護ブロック部材７８は、図８に示すように、その前端部側の一定長さの範囲内において、前側から後側に向かって、ローラリンクプレート２０とは反対側の方向に、その厚さが厚くなっていくように形成されている。逆に、その後端部側の一定長さの範囲内においては、後側から前側に向かって、ローラリンクプレート２０とは反対側の方向に、その厚さが厚くなっていくように形成されている。
【００５３】
また、保護ブロック部材７８は、図７に示すように、その前端部側の一定長さの範囲内において、前側から後側に向かって、その高さ方向（図７中、上下方向）の長さが下側に張り出していくように、下面が傾斜して形成されている。逆に、その後端部側の一定長さの範囲内においては、後側から前側に向かって、その高さ方向の長さが下側に張り出していくように、下面が傾斜して形成されている。
【００５４】
また、保護ブロック部材７８は、図８に示すように、この保護ブロック部材７８が装着されたピンリンクプレート７４におけるローラリンクプレート２０とは反対の外側（図８中、上側）の面７４ｂを基準とした場合の、この面７４ｂから離れる方向の最大厚さ寸法（図８中、寸法ｔ３）が、ピンリンク７２のピン１２Ａの先端部１２ａの突出長さよりも、長くなるように形成されている。
【００５５】
このような本実施の形態に係るチェン７０によれば、前記第１の実施の形態と同様に、複数のピンリンクプレート７４のそれぞれに保護ブロック部材７８を備えているので、チェン７０が循環駆動することにより、保護ブロック部材７８が装着されたピンリンク７２のピンリンクプレート７４、及びその後続の他のピンリンク７２のピンリンクプレート７４等に接触するおそれがある鉱石等の搬送対象物が、保護ブロック部材７８により水平方向かつバケット３０（図２参照）とは反対側の方向、又は下方向に押し退けられていくようになる。
【００５６】
これにより、チェン７０は、そのピンリンク７２のピンリンクプレート７４等の進行方向前方側に、搬送対象物が直接接触するのを防止することができるので、ピンリンクプレート７４が摩耗するのを防止して、その寿命が短くなってしまうことを、容易かつ安価に防止することができる。
【００５７】
また、本実施の形態に係るチェン７０によれば、その保護ブロック部材７８が左右対称の形状で形成されているため、チェン７０の全体の循環経路が時計回りであっても、又は反時計回りであっても、この保護ブロック部材７８を用いることができるので、製造費を低減することができる。
【００５８】
なお、前記第１から第３の実施の形態に係るチェン３４，５０，７０においては、その保護ブロック部材４４，５８，７８が、ピンリンク３８，５２，７２に対して装着されるようになっていたが、オフセットリンクの進行方向前方に装着されるようになっていてもよい。ここで、オフセットリンクは、その進行方向前方のピンリンクプレートと後方のローラリンクプレートが一体となって、前後両端部が互いに連結されていくもので、その一対のオフセットリンクプレート同士の対向方向の幅が広い方が進行方向の前方側に配置されるようにする。
【００５９】
また、前記第１及び第２の実施の形態に係るチェン３４，５０においては、その保護ブロック部材４４，５８が、この保護ブロック部材が装着されるピンリンクプレート４０，５４の前端部よりも前方に張り出すように形成され、かつ、ピンリンクプレートの外側の面よりも外側に張り出すように形成されていたが、上記前方及び／又は下方に張り出さないように形成されていてもよい。また、前記第３の実施の形態に係るチェン７０においても、その保護ブロック部材７８が、ピンリンクプレート７４の外側の面よりも下方に張り出さないように形成されていてもよい。
【００６０】
また、前記第１から第３の実施の形態に係るチェン３４，５０，７０においては、その保護ブロック部材４４，５８，７８における、ピンリンクプレートよりも前方及び／又は下方に張り出して形成されている部分（張り出し部分に相当）が、ピンリンクプレートの厚さ方向であってローラリンクプレート２０側の方向に厚く形成されていたが、このような張り出し部分が、この張り出し部分以外の他の部分の厚さと同じ厚さとなるように形成されていてもよい。
【００６１】
また、前記第１から第３の実施の形態に係るチェン３４，５０，７０においては、その保護ブロック部材４４，５８，７８の図４，６，８中に示す寸法ｔ１，ｔ２，ｔ３が、ピンリンク３８のピン１２Ａの端部１２ａの突出長さよりも長くなるように形成されていたが、ピン１２Ａの端部１２ａの突出長さと同じ長さ、又は短い長さとなるように形成されていてもよい。
【００６２】
また、前記第１から第３の実施の形態に係るチェン３４，５０，７０においては、そのピンリンクプレート４０，５４，７４とローラリンクプレート２０との間にオイルシール２８を備えていたが、オイルシール２８を備えないようになっていてもよい。
【図面の簡単な説明】
【００６３】
【図１】本発明の第１の実施の形態に係るチェン３４の一部、及びバケット３０を示す側面図である。
【図２】本発明の第１の実施の形態に係るチェン３４の一部、及びバケット３０を示す平面図である。
【図３】図１に示すチェン３４のピンリンク３８、保護ブロック部材４４、及びローラリンク８を示す拡大側面図である。
【図４】図３に示すチェン３４のピンリンク３８、保護ブロック部材４４、及びローラリンク８の下面図である。
【図５】本発明の第２の実施の形態に係るチェン５０のピンリンク５２、保護ブロック部材５８、及びローラリンク８を示す拡大側面図である。
【図６】図５に示すチェン５０のピンリンク５２、保護ブロック部材５８、及びローラリンク８の下面図である。
【図７】本発明の第３の実施の形態に係るチェン７０のピンリンク７２、保護ブロック部材７８、及びローラリンク８を示す拡大側面図である。
【図８】図７に示すチェン７０のピンリンク７２、保護ブロック部材７８、及びローラリンク８の下面図である。
【図９】従来の搬送装置２のチェン４の一部、及びバケット３０を示す側面図である。
【図１０】従来の搬送装置２のチェン４の一部、及びバケット３０を示す平面図である。
【図１１】図９に示すチェン４のピンリンク６及びローラリンク８を示す拡大側面図である。
【図１２】図１１中のチェン４のＡ−Ａ線断面図であって、そのピンリンク６及びローラリンク８を示す図である。
【図１３】図９に示すチェン４のピンリンク６及びローラリンク８を示す拡大側面図であって、ピンリンク６等が摩耗により変形した状態を示す図である。
【図１４】図１３中のチェン４のＢ−Ｂ線断面図であって、ピンリンク６及びローラリンク８を示すと共にピンリンク６等が摩耗により変形した状態を示す図である。
【符号の説明】
【００６４】
２  搬送装置
４  チェン
６  ピンリンク
８  ローラリンク
１０  ピンリンクプレート
１２，１２Ａ  ピン
１２ａ，１２ｂ  端部
１４  ピン用孔
１６  抜止めピン
２０  ローラリンクプレート
２２  ブシュ
２４  ローラ
２６  ブシュ用孔
２８  オイルシール
３０  バケット
３２  アタッチメント
３４  チェン
３８  ピンリンク
４０  ピンリンクプレート
４０ａ  端部
４０ｂ  面
４２  雌ネジ
４４  保護ブロック部材
４６  嵌合孔
４８  六角ボルト
５０  チェン
５２  ピンリンク
５４  ピンリンクプレート
５４ａ  前端部
５４ｂ  面
５６  雌ネジ
５８  保護ブロック部材
６０  六角穴付きボルト
７０  チェン
７２  ピンリンク
７４  ピンリンクプレート
７４ｂ  面
７６  雌ネジ
７８  保護ブロック部材
８０  六角穴付きボルト
【図１】
2009040529.tif 000003
【図２】
2009040529.tif 000004
【図３】
2009040529.tif 000005
【図４】
2009040529.tif 000006
【図５】
2009040529.tif 000007
【図６】
2009040529.tif 000008
【図７】
2009040529.tif 000009
【図８】
2009040529.tif 000010
【図９】
2009040529.tif 000011
【図１０】
2009040529.tif 000012
【図１１】
2009040529.tif 000013
【図１２】
2009040529.tif 000014
【図１３】
2009040529.tif 000015
【図１４】
2009040529.tif 000016